(57)【要約】【課題】映像やオーディオ等を含むコンテンツの再生や記録が可能な複数の送受信装置を用いた特定エリア内でのコンテンツの共有および特定エリア内における送受信装置相互間のコンテンツ配信方法およびそれを可能とする送受信装置を提供する。【解決手段】  この発明の実施の形態により実現される配信システムは、コンテンツを受信して再生する受信装置（ＮＣ）と、コンテンツを、要求のあった受信装置に配信する第１の配信装置（ＮＴ１）と、前記第１の配信装置と独立に設けられ、コンテンツを、要求のあった受信装置に配信する第２の配信装置（ＮＴ２）と、を含む配信システムにおいて、第１の配信装置または第２の配信装置は、他の一方の配信装置が有する機能とその機能が利用可能か否かに関する情報を取得し、所定の領域に記憶することを特徴とする。【選択図】  図１
2009124428.tif 000002
【特許請求の範囲】
【請求項１】
コンテンツを受信して再生する受信装置と、
コンテンツを、要求のあった受信装置に配信する第１の配信装置と、
前記第１の配信装置と独立に設けられ、コンテンツを、要求のあった受信装置に配信する第２の配信装置と、
を含む配信システムにおいて、
前記第１の配信装置または第２の配信装置は、他の一方の配信装置が有する機能とその機能が利用可能か否かに関する情報を取得し、所定の領域に記憶することを特徴とする配信システム。
【請求項２】
前記第１の配信装置または第２の配信装置は、自身が有する機能とその機能の利用状況情報を、他の配信装置に通知することを特徴とする請求項１記載の配信システム。
【請求項３】
前記第１の配信装置または第２の配信装置は、前記受信装置から要求された機能を提供できない場合、他の配信装置が有する同様の機能の中からその１つを選択し、その機能のネットワーク上のアドレス情報（ＵＲＬ）を、要求のあった受信装置に通知することを特徴とする請求項１または２記載の配信システム。
【請求項４】
前記第１の配信装置または第２の配信装置は、前記受信装置から要求された機能を提供できない場合、他の配信装置が有する同様の機能の中からその１つを選択し、その機能の利用を前記他の配信装置に通知するとともに、前記他の配信装置のネットワーク上のアドレス情報（ＵＲＬ）を、要求のあった受信装置に通知し、接続を確立することを特徴とする請求項１または２記載の配信システム。
【請求項５】
前記第１の配信装置または第２の配信装置は、前記受信装置の電源がオンされたときに自身が有する機能とその機能の利用状況情報を、他の配信装置に通知することを特徴とする請求項２記載の配信システム。
【請求項６】
前記第１の配信装置または第２の配信装置は、前記受信装置からの要求に応じて自身が有する機能とその機能の利用状況情報を、他の配信装置に通知することを特徴とする請求項２記載の配信システム。
【請求項７】
コンテンツを再生する再生装置と少なくとも２つのコンテンツを配信装置とを含むネットワークにおいて、
任意の配信装置に所定の機能の利用が要求された際に、要求のあった配信装置の機能が既に利用されている場合、残りの配信装置の機能の利用状況を、要求のあった配信装置が取得して、要求元である受信装置に通知することを特徴とするコンテンツ配信方法。
【請求項８】
コンテンツを再生する再生装置と少なくとも２つのコンテンツを配信装置とを含むネットワークにおいて、
任意の配信装置に所定の機能の利用が要求された際に、要求のあった配信装置の機能が既に利用中で、残りの配信装置の同様の機能も利用できない場合、要求のあった配信装置から要求元である受信装置に、機能の利用ができないことを通知することを特徴とするコンテンツ配信方法。
【発明の詳細な説明】
【技術分野】
【０００１】
この発明は、映像やオーディオ等を含むコンテンツの再生や記録が可能な複数の送受信装置を用いた特定エリア内でのコンテンツの共有および特定エリア内における送受信装置相互間のコンテンツ配信方法およびそれを可能とする配信システムに関する。
【背景技術】
【０００２】
ネットワーク内にある複数の装置を用いて映像やオーディオ等を含むコンテンツを再生し、あるいは記録するための方法の一例として、ホームサーバーを用いる方法が既に提案されている。
【０００３】
例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４の上位規格として制定されたＨＡＶｉ（Ｈｏｍｅ  Ａｕｄｉｏ／Ｖｉｄｅｏ  ｉｎｔｅｒｏｐｅｒａｂｉｌｉｔｙ）を用いることで、家庭内で利用される受信機（チューナー）やレコーダー（動画像記録装置）、テレビジョン（ＴＶ）装置やモニター装置等を、１つのネットワークとして取り扱うことができる。
【０００４】
なお、今日、ＡＤＳＬ（Ａｓｙｍｍｅｔｒｉｃ  Ｄｉｇｉｔａｌ  Ｓｕｂｓｃｒｉｂｅｒ  Ｌｉｎｅ）や光ファイバー網の普及により、放送事業者から提供されるコンテンツに加えて、通信事業者やインターネットプロバイダーから提供されるコンテンツも、選択肢として数えることができる。
【０００５】
また、録画装置（動画像記録装置）としては、例えばＨ．２６４／ＭＰＥＧ４  ＡＶＣ（単に、ＡＶＣと称されることも多い）と呼ばれる動画圧縮規格と大容量ハードディスク装置の低価格化に伴い、フルハイビジョンと呼ばれる走査線密度の高い映像コンテンツ（水平方向１９２０画素／垂直方向１０８０画素）も、容易に記録可能である。なお、記録メディアとして、ＤＶＤ規格を発展させ、ＤＶＤ規格に比較して５倍程度の記録容量が与えられたＨＤ（Ｈｉｇｈ−Ｄｅｆｉｎｉｔｉｏｎ）  ＤＶＤ規格の光ディスクも広く普及している。
【０００６】
また、レコーダー装置やテレビジョン装置（モニター装置）あるいはＡＶ（Ａｕｄｉｏ  Ｖｉｄｅｏ）コントローラー（ＡＶアンプ装置）においても、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に代表される双方向通信インターフェースが搭載され、個々の機器の記録／再生能力や装置の接続の有無が、ネットワーク上で確認可能である。
【０００７】
特許文献１には、機能操作エリア内のプルダウンメニューを備え、ネットワーク間でファイルの共有のみならず、共有ファイルの処理などの機能も供給できるファイル共有アプリケーションが開示されている。
【０００８】
特許文献２には、ネットワーク上の２つの機器の間で、通信により、相互にそれぞれのデータを受け渡しすることが開示されている。
【特許文献１】特開２００３−１９６２４２
【特許文献２】ＷＯ２００４／０１５９３２
【発明の開示】
【発明が解決しようとする課題】
【０００９】
しかしながら、各特許文献においては、制御対象機器（ターゲットデバイス（ＮＴ））はコントローラーと呼ばれる機器を通じて制御され、制御対象機器相互間で、対応機能を調停する仕組みは規定されていない。
【００１０】
また、いずれの特許文献においても、制御対象となる複数の配信装置（ＮＴ）に対し、受信装置（ＮＣ）からネットワーク内の各ＮＴに対し、都度、当該機能の可否を確認していることにより、ネットワーク上のＮＴの数が増加するほど所望の機能を利用できるまでに要求される時間が増大する問題がある。
【００１１】
この発明の目的は、映像やオーディオ等を含むコンテンツの再生や記録が可能な複数の送受信装置を用いた特定エリア内でのコンテンツの共有および特定エリア内における送受信装置相互間のコンテンツ配信方法およびそれを可能とする送受信装置を提供することである。
【課題を解決するための手段】
【００１２】
この発明は、上記問題点に基づきなされたもので、コンテンツを受信して再生する受信装置と、コンテンツを、要求のあった受信装置に配信する第１の配信装置と、前記第１の配信装置と独立に設けられ、コンテンツを、要求のあった受信装置に配信する第２の配信装置と、を含む配信システムにおいて、前記第１の配信装置または第２の配信装置は、他の一方の配信装置が有する機能とその機能が利用可能か否かに関する情報を取得し、所定の領域に記憶することを特徴とする配信システムである。
【発明の効果】
【００１３】
この発明の実施の形態の１つによれば、ネットワーク上に位置された任意のＮＣ（ネットワーククライアント）機器と接続され、利用可能な複数のＮＴ機器が存在する場合、ユーザーに複数のＮＴ機器の選択を意識させることなく、ユーザーの希望するコンテンツの受信（再生）や録画が可能となる。
【００１４】
すなわち、放送番組や任意のコンテンツを家庭内に再配信するシステムにおいて、複数の配信装置（ＮＴ）が存在する場合、ＮＴ間で相互にＮＴ機能情報を交換して管理し、受信装置（ＮＣ）から機能利用要求のあったＮＴがその要求に対応できない場合に同等の機能を有する他の利用可能なＮＴをＮＣへ回答通知させることで、利用者が機能利用までに要するアクセス時間を短縮することができる。
【発明を実施するための最良の形態】
【００１５】
以下、図面を参照して、本発明の実施の形態の一例について説明する。
【００１６】
図１は、この発明の実施の形態が適用可能な特定エリア内でのコンテンツの共有および特定エリア内における送受信装置相互間のコンテンツ配信方法、およびそれを可能とする送受信装置の接続の一例を示す。
【００１７】
図１に示すように、任意数（ｍ）のＮＣ（Ｎｅｔｗｏｒｋ  Ｃｌｉｅｎｔ）１〜ＮＣｍは、それぞれ特定エリア、例えば家庭内ネットワーク内に存在する任意数（ｎ）のＮＴ（Ｎｅｔｗｏｒｋ  Ｔａｒｇｅｔ）１〜ＮＴｎと、相互に接続されている。
【００１８】
ＮＣ１〜ＮＣｍは、ユーザー端末を示し、例えば家庭内に任意数用意されたＴＶ（テレビジョン）受像機や、モニター（ディスプレイ）装置とオーディオアンプ（コントローラー）およびオーディオアンプに接続されたスピーカーセット等、あるいは通信回線に接続されたパーソナルコンピューター（ＰＣ）等を含む。
【００１９】
ＮＴ１〜ＮＴｎ（ＮＴ機器）は、図２に一例を示すが、ＬＡＮ（Ｌｏｃａｌ  Ａｒｅａ  Ｎｅｔｗｏｒｋ）コントローラー／モデム（Ｍｏｄｅｍ）１１、セキュリティモジュールインターフェース（ＳＭＩＦ）１３、ＰＳ（Ｐａｃｋｅｔｉｚｅｄ  ｓｔｒｅａｍ）／ＴＳ（Ｔｒａｎｓｐｏｒｔ  ｓｔｒｅａｍ）処理部１５、ＧＵＩ（Ｇｒａｐｈｉｃａｌ  Ｕｓｅｒ  Ｉｎｔｅｒｆａｃｅ）処理部１７、及びこれら接続するバス１９を含む。なお、バス１９には、主制御部であるＣＰＵ（Ｃｅｎｔｒａｌ  Ｐｒｏｃｅｓｓｉｎｇ  Ｕｎｉｔ）２１、ＣＰＵ２１の動作プログラムを保持したＲＯＭ（Ｒｅａｄ  Ｏｎｌｙ  Ｍｅｍｏｒｙ）２３、作業メモリとして利用されるＲＡＭ（Ｒａｎｄｏｍ  Ａｃｃｅｓｓ  Ｍｅｍｏｒｙ）２５、チューナー部を含み、映像及びオーディオ（コンテンツ）の入出力や、ユーザーからの制御信号の入力（チューナー部による選局）に利用される入出力部２７、および例えばユーザーにより設定された情報や予約情報等を保持するＮＶＲＡＭ（Ｎｏｎ  Ｖｏｌａｔｉｌｅ  Ｒａｎｄｏｍ  Ａｃｃｅｓｓ  Ｍｅｍｏｒｙ）２９が接続されている。また、各ＮＴ機器は、オーディオ（Ａｕｄｉｏ）及び映像（Ｖｉｄｅｏ）コンテンツを保持するＨＤＤ（Ｈａｒｄ  Ｄｉｓｃ  Ｄｒｉｖｅ，大容量記憶装置）３１や、図示しないが、ＤＶＤ（Ｄｉｇｉｔａｌ  Ｖｅｒｓａｔｉｌｅ  Ｄｉｓｃ）規格もしくはＨＤ（Ｈｉｇｈ  Ｄｅｆｉｎｉｔｉｏｎ）  ＤＶＤ規格の光ディスクに取得したコンテンツを記録可能なディスクドライブ装置（レコーダー）を有する。なお、半導体メモリ（フラッシュメモリ、メモリカードと称されることもある）等をさらに保持してもよいことはいうまでもない。
【００２０】
すなわち、各ＮＴ機器は、放送事業者や通信事業者から提供される特定のチャンネルや番組、もしくはグラフィカルファイル等であるさまざまなコンテンツ（映像およびオーディオ（音声）等）を選択して取得可能な少なくともチューナー機能を有するもので、例えば空中波（地上波）のテレビ放送や放送衛星を用いた衛星放送を受信可能なＴＶチューナーや、ケーブルテレビ局から提供される映像コンテンツを受信可能なケーブルテレビチューナー（ＳＴＢ，Ｓｅｔ  Ｔｏｐ  Ｂｏｘ，と呼称されることもある）もしくは通信事業者やインターネットプロバイダーから提供されるコンテンツを取得可能なモデムやスプリッター、ＩＰＴＶの受信機能等を含む。
【００２１】
ＮＣ１〜ＮＣｍ（ＮＣ機器）は、図３に一例を示すが、ＬＡＮコントローラー／モデム１１１、ＰＳ／ＴＳ処理部１１３、オーディオ信号を復号するデコーダー（Ａｕｄｉｏ  ｄｅｃｏｄｅｒ）１１５Ａおよび映像信号を復号するデコーダー（Ｖｉｄｅｏ  ｄｅｃｏｄｅｒ）１１５Ｄ、ＧＵＩ処理部１１７、及びこれら接続するバス１１９を含む。なお、バス１１９には、主制御部であるＣＰＵ１２１、ＲＯＭ１２３、ＲＡＭ１２５、ＮＴ機器との間の映像及びオーディオ（コンテンツ）の入出力やユーザーからの制御信号の入力（コンテンツの選択等）に利用される入出力部１２７、および例えばユーザーにより設定された情報等を保持するＮＶＲＡＭ１２９が接続されている。
【００２２】
すなわち、各ＮＣ機器は、例えば家庭内に任意数用意されたＴＶ（テレビジョン）受像機や、モニター（ディスプレイ）装置とオーディオアンプ（コントローラー）およびオーディオアンプに接続されたスピーカーセット等、あるいは通信回線に接続されたパーソナルコンピューター（ＰＣ）に、ＮＴ機器から供給されるオーディオ及び映像コンテンツを出力する再生装置として機能する。
【００２３】
次に、図１〜図３に示した各ＮＴ機器および各ＮＣ機器相互の動作の一例を図４に説明する。
【００２４】
ＮＣｘ（ユーザーが利用しようとしている任意のＮＣ機器）からの選局指示に応じて選択されたＮＴ機器において、（ユーザーの選局指示に寄り）選局されたチャンネルの番組（コンテンツ）は、図示しないが、多重分離機（Ｄｅｍｕｌｔｉｐｌｅｘ  ｐｒｏｃｅｓｓｏｒ）により分離され、例えばＴＴＳ（タイムスタンプ付きＴＳ（Ｔｒａｎｓｐｏｒｔ  ｓｔｒｅａｍ））に変換される。なお、ＴＴＳは、さらにＲＴＰ（Ｒｅｍｏｔｅ  Ｄｅｓｋｔｏｐ  Ｐｒｏｔｏｃｏｌ）／ＵＤＰ（Ｕｓｅｒ  Ｄａｔａｇｒａｍ  Ｐｒｏｔｏｃｏｌ）等のＩＰ（Ｉｎｔｅｒｎｅｔ  Ｐｒｏｔｏｃｏｌ）伝送に必要な処理が施され、ＮＣｘに出力される。
【００２５】
ＮＣｘにおいては、映像すなわちビデオ信号と、音楽（音声を含む）すなわちオーディオ信号とに分離され、それぞれに対応するビデオ系デコーダ（Ｖｉｄｅｏ  ｄｅｃｏｄｅｒ）１１５Ｄおよびオーディオ系デコータ（Ａｕｄｉｏ  ｄｅｃｏｄｅｒ）１１５Ａにより復号される。復号されたビデオ信号すなわち映像は、図示しないが、予め出力端に接続されている例えば液晶ディスプレイやＣＲＴに代表される表示装置に出力される。また、復号されたオーディオ信号すなわち音楽あるいは音声は、図示しないが、予め出力端に接続されている例えばスピーカあるいはオーディオアンプ等に出力される。
【００２６】
例えば、いずれも放送衛星からの放送（ＢＳ）を受信可能な２台（セット）のＮＴ機器すなわちＮＴ１とＮＴ２と、１台（セット）のＮＣ機器が接続された状態で、ＮＴ１において、ＢＳチューナーが稼働中である場合に、ユーザーによりＮＣ機器（１台）がオンされた、とする。
【００２７】
ユーザーにより選択された特定のＮＣ機器の電源がオンされると、操作（電源がオン）されたＮＣ機器（１台、以下ＮＣｘと表示する）から、任意数のＮＴ機器（この例ではＮＴ１）に対して、通信開始が要求される（［１］）。なお、ＮＣｘは、映像表示部（フラットパネルディスプレイまたはＣＲＴ）とオーディオ（音声）再生部（スピーカー）を備えた、一般的なテレビ（ＴＶ）装置とする。また、ＮＣｘは、ＮＴ１のＵＲＬ（Ｕｎｉｆｏｒｍ  Ｒｅｓｏｕｒｃｅ  Ｌｏｃａｔｏｒ）に接続するものとする。
【００２８】
通信が要求されたＮＴ１から（通信を要求した）ＮＣｘに対し、通信可能であることが報知される（承諾応答，［２］）。
【００２９】
なお、ＮＣｘからＮＴ１（ＮＴｘ）への通信要求は、例えばＮＣｘ（ＮＣ１〜ＮＣｍ）あるいはＮＴ１ないしＮＴｎのいずれかの電源がオンされたとき、もしくは新たなＮＣ機器またはＮＴ機器が接続された時点である電源オン時に、実行されてもよい。
【００３０】
次に、ＮＣｘからＮＴ１に、ＮＣｘからＮＴ１を操作可能とするＧＵＩアプリケーションの配信が要求される（［３］）。
【００３１】
これに応答して、ＮＴ１からＮＣｘに、ＧＵＩアプリケーションが配信される（［４］）。
【００３２】
以下、ＮＣｘにおいて、ＮＴ１から配信されたＧＵＩアプリケーションが起動され、図５に一例を示すようなソフトスタックが得られる（［５］）。
【００３３】
次に、ユーザーから、例えば図示しないリモート端末（リモコン）の操作により、希望するメニューが選択指示される。例えば「選局」が指示されると、図６に一例を示す選局メニューから、『ＢＳ番組リスト』が選択可能となる（［６］）。
【００３４】
ユーザーにより、『ＢＳ番組リスト』６１１が選択されると、ＮＣｘからＮＴ１に『ＢＳ番組リスト』を配信するよう、ＮＴ１に所定のコマンドが送信される（［７］）。このとき、既に説明したが、ＮＴ１は、ＢＳチューナーが稼動中であるため、ＮＴ１からＮＴ２に、ＢＳチューナーの稼動状況の問い合わせが送信される。なお、ＮＴ２の電源がオンされていない場合には、ＮＴ１の制御により、ＮＴ２の図示しないタイマーユニット等の周知の電源管理部が制御され、ＮＴ２が起動（Ｗａｋｅ  Ｕｐ）される（利用可否確認、［８］）。また、ＮＴ１とＮＴ２との間の通信は、ＮＣｘの表示部には表示されないため、ユーザーに、例えばもういちどＢＳチューナーを持つＮＴ機器をユーザーに検索させるような不用意なストレスを生じさせることもない。なお、ＮＴ２がＢＳチューナーを有することは、例えば［１］においてＮＣｘの電源がオンされた際に、ネットワーク上の個々のＮＴ機器の接続状況や受信能力等が検出されるルーチンの実行により検出される。
【００３５】
これに応答して、ＮＴ２からＮＴ１に、（ＮＴ２のＢＳチューナーが動作していないことを条件に）ＢＳチューナーが利用可能であることが報知される（［９］）。
【００３６】
以下、ＮＴ１からＮＣｘに、ＮＴ２のＢＳチューナーが利用可能であることが報知される。この場合、ＮＴ１からＮＣｘには、ＮＴ２のＵＲＬ（Ｕｎｉｆｏｒｍ  Ｒｅｓｏｕｒｃｅ  Ｌｏｃａｔｏｒ）が通知される（［１０］）。
【００３７】
これに応答して、ＮＣｘからＮＴ２に、通信開始が要求される（［１１］）。
【００３８】
次に、通信が要求されたＮＴ２から（通信を要求した）ＮＣｘに対し、通信可能であることが報知される（承諾応答，［１２］）。
【００３９】
以下、ＮＣｘからＮＴ２に、『ＢＳ番組リスト』を表示させるとともにＮＣｘにおいて任意のチャンネルを選択可能とするＧＵＩアプリケーションの配信が要求される（［１３］）。
【００４０】
これに応答して、ＮＴ２からＮＣｘに、『ＢＳ番組リスト』を含むＧＵＩアプリケーションが配信される（［１４］）。
【００４１】
以下、ＮＣｘにおいて、ＮＴ２から配信された『ＢＳ番組リスト』を含むＧＵＩアプリケーションが起動され、図示しないＧＵＩ画面が、ＮＣｘの映像表示部に表示（提示）される（［１５］）。
【００４２】
次に、ユーザーから、（ＮＣｘの表示部に表示されている）ＧＵＩ画面に対する応答として、リモコンが操作されることにより、希望する『ＢＳ番組（チャンネル）』が選択される（［１６］）。
【００４３】
これに応答して、ＮＣｘからＮＴ２に、選択された『ＢＳ番組（チャンネル）』の受信が指示される（［１７］）。
【００４４】
この結果、ＮＴ２からＮＣｘに、ＮＴ２のＢＳチューナーにより受信された『ＢＳ番組（チャンネル）』の番組が、出力される（番組配信，［１８］）。
【００４５】
なお、例えば総てのＮＴ機器のＢＳチューナーが利用中である場合には、各ＮＴ機器からＮＣｘに、『利用可能なＢＳチューナーが存在しない』ことが報知される。
【００４６】
以上説明したように、本発明の実施の形態の１つによれば、ネットワーク上に位置された任意のＮＣ（ネットワーククライアント）機器と接続され、利用可能な複数のＮＴ機器が存在する場合、ユーザーに複数のＮＴ機器の選択を意識させることなく、ユーザーの希望するコンテンツの受信（再生）や録画が可能となる。
【００４７】
なお、本発明は、上述のいずれかの実施の形態そのままに限定されるものではなく、実施段階ではその要旨を逸脱しない範囲で構成要素を変形して具体化できる。例えば、図４においては、ＮＴ１ＮＯＢＳチューナーが利用中の場合にＮＴ２から改めてＧＵＩアプリケーションをダウンロードして選局、受信処理を実行しているが、ＮＴ１で配信されたＧＵＩアプリケーションで選局まで実施し、実際の番組配信のみＮＴ２から実行するようにしてＮＴ２からのＧＵＩアプリケーションダウンロード処理時間を節約してもよい。
【００４８】
また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】特定エリア内でのコンテンツの共有および特定エリア内における送受信装置相互間のコンテンツ配信方法、およびそれを可能とする送受信装置の接続の一例を示す概略図。
【図２】図１に示した特定エリア内ネットワーク（家庭内ネットワーク）において用いられるＮＴ（ネットワークターゲット）の一例を示す概略図。
【図３】図１に示した特定エリア内ネットワーク（家庭内ネットワーク）において用いられるＮＣ（ネットワーククライアント）機器の一例を示す概略図。
【図４】図１〜図３を用いて説明した家庭内ネットワークにおけるＮＣ機器の起動とネットワーク上のＮＴ（ターゲット）機器の動作の一例を示す概略図。
【図５】図１〜図３を用いて説明した家庭内ネットワークにおいて、ＮＣ機器が取得するソフトスタックの一例を示す概略図。
【図６】ユーザーの選択に基づいて、表示される選択画面（ＧＵＩ表示）の一例を示す概略図。
【符号の説明】
【００５０】
ＮＴ１〜ＮＴｎ…ＮＴ（ネットワークターゲット）機器（配信装置）、ＮＣ１〜ＮＣｘ…ＮＣ（ネットワーククライアント）機器（受信装置）、１７，１１７…ＧＵＩ処理部。
【図１】
2009124428.tif 000003
【図２】
2009124428.tif 000004
【図３】
2009124428.tif 000005
【図４】
2009124428.tif 000006
【図５】
2009124428.tif 000007
【図６】
2009124428.tif 000008